(57)【特許請求の範囲】
【請求項１】
上下方向に位置するとともに左右の各前面側に複数のスリットが形成された支持体と、前記スリットに引っ掛け可能なフックを後部に有するとともに、前記支持体に対してそれぞれ前後方向に延びるブラケットと、これらブラケット間に支持された棚部材とを備えた棚装置において、
前記ブラケット間に横行部材が掛け渡されるとともに、当該横行部材は、前記左右のブラケット間距離に応じて長さを調整可能に設けられていることを特徴とする棚装置。
【請求項２】
前記棚板は、前後方向移動可能に支持されていることを特徴とする請求項１記載の棚装置。
【請求項３】
前記横行部材は、ブラケット間距離に応じて長さが決定された状態で、当該長さを維持する固定部材を含んで構成されていることを特徴とする請求項１又は２記載の棚装置。
【請求項４】
前記横行部材は、相互に重なり合う領域を備えた第１及び第２の横行部材からなり、前記重ね合わせ領域に前記固定部材が設けられていることを特徴とする請求項１，２又は３記載の棚装置。
【請求項５】
前記各ブラケットの面内に棚部材を前後方向に移動可能とする案内用スリットがそれぞれ設けられ、これら案内用スリットに前記横行部材の端部を引っ掛けて当該横行部材がブラケット間に掛け渡されていることを特徴とする請求項１ないし４の何れかに記載の棚装置。
【請求項６】
上下方向に位置するとともに左右の各前面側に複数のスリットが形成された支持体と、前記スリットに引っ掛け可能なフックを後部に有するとともに、前記支持体に対してそれぞれ前後方向に延びるブラケットと、これらブラケット間に支持された棚部材とを備えた棚装置において、
前記ブラケットの面内に棚部材を前後方向に移動可能とする案内用スリットがそれぞれ設けられるとともに、前記ブラケット間に当該ブラケット間を所定距離に維持する横行部材が掛け渡されていることを特徴とする棚装置。
【発明の詳細な説明】
【０００１】
【発明の属する技術分野】
本発明は、棚装置に係り、更に詳しくは、左右のブラケット間の距離を調整可能としてブラケットの位置を安定して保つことができる棚装置に関する。
【０００２】
【従来の技術】
一般に、商品陳列に適した棚装置は、左右一対の支柱と、これら支柱の前面側に形成されたスリットに引っ掛け可能なフックを備えた左右一対の片状ブラケットと、これらブラケットの上縁側に掛け渡すように載せられた棚板とを備えて構成されている。このような棚装置の中には、商品の出し入れを容易に行えるようにするため、棚板を前後方向に移動可能としたタイプのものが存在する。棚装置の組み立ては、前記スリットにブラケットの後端に設けられたフックを差し込んで所定高さ位置にセットし、この後、ブラケットに棚板を載せることによって行われる。
【０００３】
【発明が解決しようとする課題】
しかしながら、公知の棚装置に用いられるブラケットは、後端のフックがスリットに差し込まれてこれに引っ掛けられた状態でも、スリット幅がフック厚みよりも大きいため、ブラケットの前端側が左右方向にぶらつくこととなる。そのため、左右一対のブラケット位置が略平行な位置関係に保たれず、これにより、外観上の体裁を損なうばかりでなく、棚板を安定的に支持することが困難になるという不都合を生じる。また、棚板を前後方向に移動可能とした場合には、当該棚板とブラケットとの相対位置が最適化できないときに、棚板のスムースな移動を阻害し、場合によっては、ブラケットや棚板の相対移動部分を変形させてしまうという不都合も招来する。
【０００４】
【発明の目的】
本発明は、このような不都合に着目して案出されたものであり、その目的は、支持体に取り付けられた左右のブラケット間距離を調整可能として、棚板を安定的に支持することができ、且つ、棚板の前後方向の移動もスムースに行うことができる棚装置を提供することにある。
【０００５】
【課題を解決するための手段】
前記目的を達成するため、本発明は、上下方向に位置するとともに左右の各前面側に複数のスリットが形成された支持体と、前記スリットに引っ掛け可能なフックを後部に有するとともに、前記支持体に対してそれぞれ前後方向に延びるブラケットと、これらブラケット間に支持された棚部材とを備えた棚装置において、
前記ブラケット間に横行部材が掛け渡されるとともに、当該横行部材は、前記左右のブラケット間距離に応じて長さを調整可能に設けられる、という構成を採っている。このような構成によれば、横行部材により左右のブラケットが相互に連結されるとともに、横行部材の長さを変化させてブラケット間距離を最適に調整できるので、スリットとフックとの間にいわゆる「遊び」があっても、各ブラケットを平行姿勢とすることができ、棚部材を安定した状態で支持することができる。
【０００６】
【発明の実施の形態】
本発明における前記棚板は前後方向移動可能に支持される、という構成を採ることができる。このような構成とすれば、ブラケット間距離が最適化されるので、棚板の前後移動をスムースに行うことができる。また、前記横行部材は、ブラケット間距離に応じて長さが決定された状態で、当該長さを維持する固定部材を含んで構成される、という構成を採用することが好ましい。このような構成により、各ブラケットを平行姿勢とした後、固定部材により横行部材の長さを維持することで、ブラケット間の距離を常に一定に保つことができ、左右のブラケットの平行度を安定して維持することが可能となる。
【０００７】
また、前記横行部材は、相互に重なり合う領域を備えた第１及び第２の横行部材からなり、前記重ね合わせ領域に前記固定部材が設けられる、という構成も採用することができる。このような構成を採れば、重ね合わせ領域における第１及び第２の横行部材の相対移動により、横行部材全体の長さを変化することができるので、横行部材の構成を簡易なものとすることができる。
【０００８】
更に、棚板を前後方向に移動可能とした棚装置において、前記各ブラケットの面内に棚部材を前後方向に移動可能とする案内用スリットがそれぞれ設けられ、これら案内用スリットに前記横行部材の端部を引っ掛けて当該横行部材がブラケット間に掛け渡される、という構成を採ることができる。このような構成とすれば、ブラケットに横行部材を掛け渡すための穴等が形成されず、また、ねじ等の固定手段を用いないため、部品点数の削減を図って製造工程の簡略化や製造コストの低減を図ることが可能となる。
【０００９】
また、本発明は、上下方向に位置するとともに左右の各前面側に複数のスリットが形成された支持体と、前記スリットに引っ掛け可能なフックを後部に有するとともに、前記支持体に対してそれぞれ前後方向に延びるブラケットと、これらブラケット間に支持された棚部材とを備えた棚装置において、
前記ブラケットの面内に棚部材を前後方向に移動可能とする案内用スリットがそれぞれ設けられるとともに、前記ブラケット間に当該ブラケット間を所定距離に維持する横行部材が掛け渡される、という構成を採ることもできる。このような構成によって、前記案内用スリットの平行度が保たれて棚板のスムースなる移動を確保することが可能となる。
【００１０】
【実施例】
以下、本発明の実施例を図面を参照しながら説明する。
【００１１】
図１には、本実施例に係る棚装置の要部概略斜視図が示され、図２には、図１の要部分解斜視図が示されている。これらの図において、棚装置１０は、上下方向に位置する支持体としての左右一対の支柱１１，１１と、これら支柱１１，１１にそれぞれ支持された左右一対のブラケット１２，１２と、当該ブラケット１２，１２を跨ぐように載せられた棚部材としての棚板１３と、支柱１１，１１の下部領域に設けられた図示しないベースとを備えて構成されている。
【００１２】
前記支柱１１，１１には、その前面側に、上下方向に向けられた複数のスリット１５が左右二列に亘ってそれぞれ設けられ、これらのスリット１５を利用してブラケット１２，１２を所定の高さ位置に引っ掛けることで、当該ブラケット１２，１２が支柱に支持可能とされている。
【００１３】
前記ブラケット１２は、図３ないし図６に示されるように、面の向きが鉛直面内に位置して前後方向に延びるとともに、上下幅が後方に向かうに従って大きく設けられた板状の本体１７と、この本体１７の後端から後方に突出して前記スリット１５に引っ掛け可能な四つのフック１８と、本体１７の上端から内向きに設けられた平面視略方形をなして棚板１３の両端部下面側に位置する支持面１９と、本体１７の面内に形成されて前後方向に延びる案内用スリット２１とを備えて構成されている。ブラケット１２，１２間には、図７及び図８にも示されるように、両端側が案内用スリット２１に引っ掛けられる横行部材２２が掛け渡されており、これにより、ブラケット１２，１２が相互に連結された状態となっている。また、案内用スリット２１は、前部側と後部側とで異なった上下幅を備えており、横行部材２２の後述するフック部を挿入して引っ掛け可能な開口上下幅を備えた後部スリット２４（図２参照）と、この後部スリット２４の前方に連なって当該後部スリット２４より狭い上下幅となる前部スリット２５とにより形成されている。
【００１４】
前記横行部材２２は、図７に示されるように、主として、左右長さの異なる二部材により構成されるとともに、これら二部材の図７中左右方向に沿う相対移動により長さ調整可能に設けられている。横行部材２２は、図７中左側のブラケット１２の前記後部スリット２４に引っ掛け保持されるとともに、各ブラケット１２，１２の離間幅より多少短い左右長さに設けられた第１の横行部材２６と、この第１の横行部材２６に連結されるとともに、右側のブラケット１２の後部スリット２４に引っ掛け保持される第２の横行部材２７とを備えて構成されている。第１及び第２の横行部材２６，２７は、第１の横行部材２６の下面と第２の横行部材２７の上面とが一定領域で面接触する長さに設けられ、すなわち、棚板１３の下方位置で相互に重なり合う領域を備えており、当該重ね合わせ領域に横行部材２２の長さを維持する固定部材２９が設けられている。
【００１５】
前記第１の横行部材２６は、図２，図７及び図８に示されるように、平面視左右方向に横長の略長方形状となる平面部３０と、この平面部３０の前後両端から下方に向けられた一対の垂下面部３１，３１と、平面部３０の図７中左端中央から後端側（同図中下端側）に連なって下向きに設けられるとともに、前記後部スリット２４に引っ掛け可能に設けられたフック部３２と、平面部３０の第２の横行部材２９との重ね合わせ領域、すなわち、同図中右側領域にバーリング加工により形成されたねじ穴３３（図９参照）とを備えて構成されている。フック部３２は、図７に示されるように、各垂下面部３１，３１及び平面部３０の同図中左端部より若干外側（左側）に位置するように設けられており、これにより、フック部３２を後部スリット２４に引っ掛けた状態で、前記左端部とフック部３２とによりブラケット１２を挟み込んで横行部材２２及びブラケット１２の左右方向のがたつきが生じないようになっている。
【００１６】
前記第２の横行部材２７は、向き及び長さを除き第１の横行部材２６と略同様な構成となっている。すなわち、第２の横行部材２７は、第１の横行部材２６の平面部３０より若干短い前後幅を備えた平面部３５と、この平面部３５の前後両側にそれぞれ連なる一対の垂下面部３６，３６と、平面部３５の図７中右端側に連なるフック部３７と、第１の横行部材２６のねじ穴３３に対応する位置に設けられた左右方向に横長となるスロット穴３８とを備えて構成されている。前記各垂下面部３６，３６の各外面は、第１の横行部材２６の垂下面部３１，３１の内面に略面接触する位置に設けられており、これにより、横行部材２２の長さ調整時において、当該横行部材２２の前後方向のぶれを抑制することができる。
【００１７】
前記固定部材２９は、図９に示されるように、第１の横行部材２６のねじ穴３３に取り付けられてスロット穴３８を貫通するねじ４０と、このねじ４０に装着されるとともに、平面部３５の下面側に位置する蝶ナット４１とにより構成されている。固定部材２９は、蝶ナット４１を締めることにより、各平面部３０，３５を上下方向から締め付けて横行部材２２の長さを維持する一方、蝶ナット４１を緩めて前記締め付けを解除することにより、第１及び第２の横行部材２６，２７の左右相対移動を許容し、スロット穴３８の長さ内で調整可能となっている。
【００１８】
前記棚板１３は、図２及び図６に示されるように、商品等を陳列するための載置面を形成するとともに、左右後端部に支柱１１との干渉を回避するための切欠部４３Ａが形成された水平面部４３と、この水平面部４３の後端縁に沿って設けられた後部下向き屈曲部４４と、水平面部４３の前端に沿って設けられた前部下向き屈曲部４５と、水平面部４３の下面側前後二箇所位置で左右方向に向けられた二つの補強桟４６とを備えて構成されている。水平面部４３の左右両端側下面には、前後方向に延びる側板形成体４８が設けられ、当該側板形成体４８は、棚板１３の側板を形成する側板形成面４９と、この側板形成面４９の上端に連なって水平面部４３の下面に接合される接合面５０と、側板形成面４９の下端後部側に連なって内方に向けられるとともに、前記案内用スリット２１に受容される内向き屈曲面５１とを備えて構成されている。内向き屈曲面５１は、図３及び図４に示されるように、棚板１３をブラケット１２，１２上に配置した状態で、案内用スリット２１内に位置することとなり、これにより、棚板１３の前後方向の移動を許容し、棚板１３の浮き上がりも規制することとなる。
【００１９】
図２に示されるように、ブラケット１２における支持面１９の上面側には、滑り促進用のシート状の樹脂薄板片５３が接着等の手段で固定され、この薄板樹脂片５３によって前記棚板１３を前後方向に移動させる際の摩擦抵抗が軽減できるようになっている。
【００２０】
次に、本実施例に係る棚装置１０の組み立て方法について説明する。
【００２１】
本実施例に係る棚装置１０の組み立ては、前述した構成部品を組み立てて複数のユニットを設けておき、これらユニットを組み合わせることによって行われる。すなわち、第１のユニットは、図示しないベースに対して支柱１１，１１を組み合わせて自立姿勢とする。そして、各支柱１１，１１の所定高さ位置におけるスリット１５に対してブラケット１２，１２のフック１８を差し込んで当該ブラケット１２，１２をスリット１５に引っ掛けることによって構成される。なお、ブラケット１２の支持面１９には樹脂薄板片５３が予め接着等により固定される。
【００２２】
第２のユニットは、棚板１３により構成されている。この棚板１３は、側板形成体４８の接合面５０を溶接等の手段で水平面部４３の左右両端側下面に固定した後、水平面部４３の下面側に各補強桟４６，４６をそれぞれ溶接等により固定することによって構成される。
【００２３】
第３のユニットは、横行部材２２により構成され、この横行部材２２の組み立ては、まず、第１の横行部材のねじ穴３３にねじ４０を取り付けた後、当該ねじ４０の先端側に第２の横行部材２７のスロット穴３８を挿入して各平面部３０，３５を重ね合わせる。この状態で、ねじ４０に蝶ナット４１を装着し、各平面部３０，３５を挟み込んで一体化することによって第３のユニットが構成される。
【００２４】
第１のユニットに対して第２のユニットを組み立てる場合には、棚板１３をブラケット１２，１２上に載せればよい。この際、内向き屈曲面５１が支持面１９に干渉しないようにブラケット１２，１２の前端側を相互に接近させておき、支持面１９上に棚板１３を載せてからブラケット１２，１２の前端側を相互に離間させて略平行姿勢とすることで、内向き屈曲面５１が案内用スリット２１に挿入されることとなる。
【００２５】
次いで、第３のユニットを構成する横行部材２２を持ち、棚板１３の下方位置で各フック部３２，３７を後部スリット２４にそれぞれ引っ掛けて横行部材２２をブラケット１２，１２間に掛け渡す。この掛け渡しにより、左右のブラケット１２，１２は相互に連結され、この状態で、蝶ナット４１を緩めてブラケット１２，１２間距離に応じて横行部材２２の長さを変化させ、ブラケット１２，１２を略平行とした後、すなわち、棚板１３の前後移動が最もスムースに行われる状態で、蝶ナット４１を再度締めることにより横行部材２２の長さが維持されるとともに、ブラケット１２，１２の平行姿勢を安定的に保つことができる。
【００２６】
このようにして組み立てられた棚装置１０は、棚板１３を前後方向に力を付与することによってブラケット１２の前後方向に沿う移動が可能となる（図３及び図４参照）。この際、支持面１９の上面には、樹脂薄板片５３が設けられているため、棚板１３は、少ない摩擦抵抗によってスムースに移動することができる。なお、棚板１３は、内向き屈曲面５１が前部スリット２５の前側内周縁に突き当たった位置を引き出し限とするものであり、従って、棚板１３がブラケット１２の前方から脱落してしまうことはない。
【００２７】
従って、このような実施例によれば、棚板１３をブラケット１２，１２に装着した後、左右のブラケット１２，１２間距離の調整を行うことができるので、仮に、棚板１３上に商品等が陳列されている場合であっても、ブラケット１２，１２の平行度を調整してブラケット１２，１２間距離を一定に維持することが可能となる。
【００２８】
なお、本発明における支持体は支柱１１に限定されるものでなく、スリット１５が形成されたものであれば、パネル状のもの等を採用することもできる。また、棚部材は、水平面部４３を備えたものに限らず、メッシュ状或いはフレーム状のものに代替することができる。
【００２９】
【発明の効果】
以上説明したように、本発明によれば、ブラケット間に掛け渡された横行部材が左右のブラケット間距離に応じて長さ変化可能に設けられているから、棚板をブラケット上に載せた後、横行部材を長さ変化させることでブラケット間距離を調整することができるので、左右のブラケットを平行姿勢として棚板を安定的に支持することが可能となる。
【００３０】
また、棚板が前後方向に移動可能に設けられているから、ブラケット間距離が最適化されるので、棚板の前後移動をスムースに行うことができる。
【００３１】
また、横行部材は、当該横行部材の長さを維持する固定部材を含んで構成されているから、左右のブラケットを平行姿勢としてから、固定部材を用いて横行部材の長さを決定することにより、ブラケット間距離を一定に保つことができ、ブラケットの平行度を確実に維持することが可能となる。
【００３２】
更に、横行部材を相互に重なり合う領域を備えた第１及び第２の横行部材により構成し、重なり合い領域に固定部材を設けた場合には、横行部材の構成の簡略化を図ることができる。
【００３３】
また、ブラケットの面内に設けられた案内用スリットに横行部材の端部を引っ掛けて当該横行部材をブラケット間に掛け渡し可能としたから、ブラケットに横行部材を連結するための穴等を形成しなくてよくなり、従って、ブラケットを特別な形状とする必要がなくなるので、経済的にも有利な条件で棚装置を提供することができる。
【図面の簡単な説明】
【図１】実施例に係る棚装置の要部概略斜視図。
【図２】図１の要部分解斜視図。
【図３】図１の右側面図。
【図４】棚板が引き出された位置にある状態を示す右側面図。
【図５】（Ａ）はブラケットの平面図、（Ｂ）はブラケットの右側面図。
【図６】図１の縦断面図。
【図７】横行部材の底面図。
【図８】支柱を省略した図１の背面図。
【図９】図８の要部拡大図。
【符号の説明】
１０  棚装置
１１  支柱（支持体）
１２  ブラケット
１３  棚板（棚装置）
１５  スリット
１８  フック
２１  案内用スリット
２２  横行部材
２６  第１の横行部材
２７  第２の横行部材
２９  固定部材
【図１】
0003925076.tif 000002
【図２】
0003925076.tif 000003
【図３】
0003925076.tif 000004
【図４】
0003925076.tif 000005
【図５】
0003925076.tif 000006
【図６】
0003925076.tif 000007
【図７】
0003925076.tif 000008
【図８】
0003925076.tif 000009
【図９】
0003925076.tif 000010